(57)【要約】【課題】本発明の課題は、ロゴサイン、チャネル文字などのＬＥＤ電飾板設置に当たり、任意の発光素子配置を要求する顧客に、適切な価格での設計施工を実現し、電飾広告のＬＥＤ化を促進することである。【解決手段】要求される任意の形状に対応して、光源素子の任意の配置が可能な銅基盤を提供する。チャネル文字などの表示すべき形状が与えられた時、標準的ＣＡＤ技術によって裁断データを自動生成し、均質な光源素子の配置設計、光源素子をつなぐ回路図の設計、回路図切削データ生成機能を一括で提供する。これによって、ＬＥＤ光源製作費用、現場での施工コストを共に削減する。併せて、銅を基盤とすることで、光源素子から発生する熱処理の効率化も実現する。【選択図】図３
2013041085.tif 000002
【特許請求の範囲】
【請求項１】
任意の図形、ロゴサイン、チャネル文字表示用に複数の発光素子が、銅基盤上に最少３ミリメートル間隔で配置できるLED光源基盤装置。
【請求項２】
要求される任意の発光形状に対応して、銅基板の切断情報、取付用ボルト穴の配置、発光素子の配置、回路図切削情報の生成が一括して行えるLED光源基盤装置。
【請求項３】
標準的な発光素子を、銅基盤上に配置することで、放熱効果が向上するLED光源基盤装置。
【発明の詳細な説明】
【技術分野】
【０００１】
本発明は、任意の発光形状を表現するために、複数の発光素子を、任意の位置に配置する光源基盤装置、及び発光素子をつなぐ回路設計及び切削に関するものである。
【背景技術】
【０００２】
従来、ロゴサイン、広告看板、チャネル文字看板などの光源として、蛍光管やネオン管が用いられてきた。しかし、長寿命、省エネルギーなど、光源として総合的な利点から、発光ダイオード（ＬＥＤ）が利用されるようになっている。
【０００３】
複数のＬＥＤ光源から構成され、ロゴサイン、文字チャネルなどの電飾広告として利用される、ＬＥＤモジュールにおいて、ＬＥＤ光源の配置方式は様々である。例えば、複数のＬＥＤ光源をあらかじめ基板上に均等に面的に配置し、それを切り取ることで得られるLEDモジュール。
ＬＥＤ光源を直線的に配置したライン光源、ＬＥＤを一ヶ所に集中させたスポット光源、個々のＬＥＤモジュールをケーブルでつないで自由曲面、曲線に対応可能とした自在ユニット光源などである。
【０００４】
LED光源を、直線的に配置したライン光源は、折り曲げることができないため、細い曲線の発光表現は不可能である。
直線の組み合わせ、直線近似が可能な形状、文字に適用領域が限定される。
【０００５】
また、自在ユニット光源の場合、低価格化を志向して100ボルト電源への直接続方式となっている。この場合、熱処理と、熱に起因した電源回路側への雑音電波の発生があり、やはり適用領域に制約がある。
【０００６】
ＬＥＤ配置方式の多様化は、従来のネオン管などの光源と同等の、自由局面からの均質な発光光源の要求が強いことに起因している。従来のネオン管方式の場合、ネオン管自身の加工が容易であり、ロゴサインや、文字チャネルに合わせてネオン管を加工することで、自由な直線、曲線光源を提供することができた。
このため、発光にむらがなく、均質な図形、チャネル文字の発光表現が可能であった。
【０００７】
ＬＥＤの場合、点光源の集合体として光源ユニットを構成する必要があり、従来の蛍光管自身の加工ではなく、光源の最適配置方式、配置ユニットの形状、配置対象ロゴパターンへの適切な発光素子の配置、発光素子を結ぶ回路設計とその実装が課題となる。
【０００８】
既存の発明は光源ユニットの構成、基盤装置の関するものが中心であり、任意の形状の図形、ロゴサイン、チャネル文字のＬＥＤによる表現に当たっては、要求される図形ごとに、基盤ボードの素材設定から光源素子の設定、配置方式、回路配線の方式を選定する必要がある。このため、光源基盤の品質にばらつきが大きくなっている。また設計方式が異なるため、ＬＥＤ配置設計工数の増加、施工時の配線ミスの発生により、設置コストが高くなっている。このため、結果としてＬＥＤの普及が阻害されている。
【先行技術文献】
【特許文献】
【０００９】
【特許文献１】特開２００８−２２７０１１号公報
【発明の概要】
【発明が解決しようとする課題】
【００１０】
本発明の課題は、発光形状として任意のロゴサイン、チャネル文字、図形が与えられたとき、光源としての均質化の要求に応えつつ、適切な価格で高品質な光源基盤装置を提供することで、電飾広告のＬＥＤ化を促進することである。
【課題を解決するための手段】
【００１１】
以上のような課題を解決するために、本発明は、以下のものを提供する。
【００１２】
（１）任意の図形、ロゴサイン表示用に複数の発光素子を、銅基盤上に最少３ミリメートル間隔で任意に配置できる光源基盤装置。
【００１３】
本発明によれば、発光形状として、表示したい任意の図形・文字の提示を受けたとき、現在の光源素子の幅である３ミリメートル以上の領域については、銅基盤上に任意に光源素子を配置設計することが可能となる。配置設計後に光源素子を実装するため、配置設計者の自由度が高くなり、均質な光源提供が求められる、光源基盤装置の品質を安定させることができる。
【００１４】
（２）要求される任意の発光形状に対応して、銅基板の切断情報、取付用ボルト穴の配置、発光素子の配置、回路図切削情報の生成が一括して行えるLED光源基盤装置。
【００１５】
提供される、任意の発光表示図形、ロゴ、チャネル文字を標準的なＣＡＤ技術によって、銅基盤上に展開し、銅基盤自動切断データの生成、壁などへの取付ドリル穴、電源ケーブルの通し穴、光源素子の配置設計、光源素子をつなぐ回路設計、回路図切削データ生成を一括で行うことが可能となる。
これによってそれぞれの配置の矛盾、施工時のドリル穴の切削ミスによる障害を完全に回避できる。
【００１６】
（３）標準的な発光素子を、銅基盤上に配置することで、放熱効果が向上するLED光源装置。
【００１７】
ＬＥＤ光源は、消費電力は少ないが、発熱量は多い。特に電飾板には注目を集めるため、複数光源を、集積して配置する。このため、発熱に対する対策は重要である。
放熱機能が高い銅基盤に、光源ユニットを配置した本発明によって、放熱を効率化できる。
【発明の効果】
【００１８】
本発明に係る、光源基盤装置によれば、原理的にＬＥＤ発光素子の幅以上の任意の形状に対して、標準的なＣＡＤ技術を適用することで、光源基盤設計と基板のカットデータなどの生成が一元的に実施できる。
基盤材質を銅に統一することで、設計、製造コストの低減が期待できる。
また、回路図切削データに生成を、設計工程で行うことにより、施工時の配線ミスの防止と施工コストは削減できる。
また、銅の材質特性としての放熱機能によりに、光源ユニットが発生する熱の自然法熱ができる。
これによって、電飾広告ＬＥＤ化の障害となっていた、設置コストを大きく下げることができる。
【図面の簡単な説明】
【００１９】
【図１】顧客から提示される表示希望図面である。
【図２】実現形状図でありＣＡＤによる設計図面である
【図３】光源配置と回路設計図である
【図４】ロゴ配置の試作事例である。
【図５】光源として突起状の樹脂タイプＳＭＢ試作である
【発明を実施するための形態】
【００２０】
以下、本発明の最適な実施の形態について、図１〜図５を参照して詳細に説明する。
【００２１】
図１は、顧客から提示を受ける、発光させたいロゴ、チャネル文字原案図面である。
この形状をＬＥＤ光源で表示することが求められるが、現在利用できるＬＥＤ発光素子が、配置に必要とする幅３ミリメートルなどの制約はまったく考慮されていない。原図である。
【００２２】
図２は提供を受けた図１を、標準的なＣＡＤシステムによってデジタル化するとともに、発光素子の制約を反映しつつ、できるだけ原図に忠実に、発光表示可能な図形を作成したものである。これが実現する、図形デザイン、ロゴ、チャネル文字となる。
【００２３】
この図面に対して、設計者が独自のデザインノウハウを生かしてＬＥＤ発光素子の均質な配置を行う。併せて、電飾版を壁などに取り付けるために必要な、ボルト穴の口径を決定、電源装置から電飾版への電源コードの通過穴を適切に配置する。
一括して配置設計することで、相互の矛盾、施工、取付時点での負荷軽減と、作業ミスの発生は回避される。
【００２４】
図３は回路図である。配置されたＬＥＤ発光素子をつなぐ回路を、適切に配線する。この工程も設計者の経験とノウハウを必要とし、設計者によって配線効率は変化する。
【００２５】
以上の工程で作成された図面から標準的なＣＡＤ技術によって、銅基盤の形状に合わせた切断データ、光源素子をつなぐ回路図切削、取付ドリル穴、電源ケーブル穴の穿孔データを自動生成し、そのデータによって、銅基盤の自動加工を行う。
【００２６】
加工された銅基盤上に付されたマークの上に、ＬＥＤ発光素子を配置する。発光素子は突起素子が効果的な場合は、樹脂タイプＳＭＤを配置する。
手作業となるが、配置場所はマークされているため、機械的な作業となり、特別なノウハウは不要である。
【００２７】
電飾板に立体感を持たせるため、一定の幅がある外枠にＬＥＤ発光素子が配置され、電源ケーブルが通された銅基板光源装置を設置し、取付穴を利用してボルトなどで壁に固定することで、電飾版の設置が終了する。
【実施例１】
【００２８】
図４は通常タイプの試作例、図５は突起タイプの試作例である。
【産業上の利用可能性】
【００２９】
本発明に係るＬＥＤ光源基盤装置は任意形状、ロゴの表示が求められる広告看板、電飾広告用途におけるＬＥＤ化に有用である。
【符号の説明】
【００３０】
1.    １．顧客提示形状図
２．実現電飾板設計図
２．１  取付用ボルト穴
３．ＬＥＤ光源銅基盤
３．１  ＬＥＤ発光素子配置ポイント
３．２  回路図および切削図
３．３  取付用ボルト穴（２．１に同じ）
３．４  電源ケーブル用穴
４．ロゴ配置試作
４．１  ＬＥＤ発光素子
５．突起タイプ試作配置
５．１  突起状樹脂タイプＬＥＤ光源
【図１】
2013041085.tif 000003
【図２】
2013041085.tif 000004
【図３】
2013041085.tif 000005
【図４】
2013041085.tif 000006
【図５】
2013041085.tif 000007